(57)【要約】  画像を表示するとともにユーザの操作を入力可能なタッチパネル２を有する情報端末装置１において、タッチパネル２には画像を表示する表示エリア３と操作入力専用の入力エリア４を有し、表示エリアに表示する画像を処理する画像処理部１１２と、入力エリアに対する操作入力を検出する操作入力部１１５とを備える。エリア制御部１１６は、タッチパネル２の一部に入力エリア４を割り当てるとともに、入力エリア４を操作すると表示エリア３に表示されている画像に対する操作に変換する機能を有する。
2017022031.tif 000002
【特許請求の範囲】
【請求項１】
画像を表示するとともにユーザの操作を入力可能なタッチパネルを有する情報端末装置において、
前記タッチパネルには画像を表示する表示エリアと操作入力専用の入力エリアを有し、
前記表示エリアに表示する画像を処理する画像処理部と、
前記入力エリアに対する操作入力を検出する操作入力部と、
前記タッチパネルの一部に前記入力エリアを割り当てるとともに、該入力エリアを操作すると前記表示エリアに表示されている画像に対する操作に変換するエリア制御部と、
を備えることを特徴とする情報端末装置。
【請求項２】
請求項１に記載の情報端末装置において、
前記入力エリアは前記表示エリアを略相似形に縮小した形状とし、
前記エリア制御部は、前記表示エリア内の位置と前記入力エリア内の位置を対応させるための座標変換機能を有することを特徴とする情報端末装置。
【請求項３】
請求項１に記載の情報端末装置において、
前記入力エリアに対し操作入力のために操作物を所定の距離以内に接近させると、前記操作物の接近位置に対応する前記表示エリア内の位置に被操作位置を示すカーソルを表示することを特徴とする情報端末装置。
【請求項４】
請求項１に記載の情報端末装置において、
前記タッチパネル内に設定する前記入力エリアの配置、及び設定する入力エリアの数を選択する操作モード切替ボタンを有することを特徴とする情報端末装置。
【請求項５】
請求項１に記載の情報端末装置において、
当該情報端末装置の姿勢を検出する加速度センサを備え、
加速度センサの検出した当該情報端末装置の姿勢に応じて、前記エリア制御部は前記タッチパネル内に設定する前記入力エリアの配置を決定することを特徴とする情報端末装置。
【請求項６】
請求項１に記載の情報端末装置において、
前記画像処理部は、前記表示エリアに表示する画像のうち、前記入力エリアを設定することにより該入力エリアと重なる画像については、重ならない位置に移動させて表示するか又は非表示とすることを特徴とする情報端末装置。
【請求項７】
請求項１に記載の情報端末装置において、
前記画像処理部は、前記表示エリアに表示する画像を、前記入力エリアにおいても縮小画像として表示させることを特徴とする情報端末装置。
【請求項８】
請求項７に記載の情報端末装置において、
前記画像処理部は、前記表示エリアに表示する画像のうち、前記入力エリアを設定することにより該入力エリアと重なる画像については前記表示エリアでは非表示とし、前記入力エリアにおいて前記縮小画像として表示させることを特徴とする情報端末装置。
【発明の詳細な説明】
【技術分野】
【０００１】
本発明は、タッチパネルを搭載した情報端末装置に関する。
【背景技術】
【０００２】
近年、スマートフォンあるいはタブレット型のパーソナルコンピュータなどのように、タッチパネルを搭載した情報端末装置が普及している。タッチパネルを搭載した情報端末装置では、ユーザが指でパネルをタッチ操作することで所望の入力を行う。よって、タッチ操作のしやすい装置構成であることが要求される。例えばユーザが片手で操作できることが望ましい。【０００３】
これに関連する技術として特許文献１には、「ユーザがタッチしやすいエリアとしにくいエリアとを自動的に正しく検出し、それに基づいてユーザの操作性を改善すること」を課題とし、「複数の入力ボタンを表示しタッチされた当該入力ボタンを検知するタッチパネルと、前記入力ボタンへのタッチによって発生する揺れを検知する揺れ検知部と、タッチされた前記入力ボタンの前記タッチパネル上の位置と、当該入力ボタンへのタッチによって発生した揺れとの関係に基づいて、前記複数の入力ボタンの前記タッチパネル上における表示位置を設定する表示制御部と、を備える」端末が開示されている。
【先行技術文献】
【特許文献】
【０００４】
【特許文献１】特開２０１５−１１６７５号公報
【発明の概要】
【発明が解決しようとする課題】
【０００５】
特許文献１の技術によれば、ユーザがタッチしやすいエリア（タッチエリア）に複数の入力ボタンを移動させて表示することで、片手でタッチできるようにしている。タッチエリアの大きさはユーザ毎に限られているので、タッチパネルの大画面化等により入力ボタンの数が増加すると、全ての入力ボタンをタッチエリアに収納しきれない状況になる。その際、入力ボタンを縮小して表示することも考えられるが、それぞれの入力ボタンの識別が困難となり、操作ミスが発生しやすくなる。すなわち特許文献１の技術は、ユーザの手の大きさに合わせたサイズのタッチパネルを使用することと等価である。【０００６】
本発明は、タッチパネルを搭載した情報端末装置において、ユーザが操作しやすくかつ操作ミスの発生しにくい装置構成を提供することを目的とする。
【課題を解決するための手段】
【０００７】
本発明は、画像を表示するとともにユーザの操作を入力可能なタッチパネルを有する情報端末装置において、タッチパネルには画像を表示する表示エリアと操作入力専用の入力エリアを有し、表示エリアに表示する画像を処理する画像処理部と、入力エリアに対する操作入力を検出する操作入力部と、タッチパネルの一部に入力エリアを割り当てるとともに、入力エリアを操作すると表示エリアに表示されている画像に対する操作に変換するエリア制御部と、を備える構成とする。
【発明の効果】
【０００８】
本発明によれば、タッチパネルの一部に表示画面と対応する専用の入力エリアを設けることで、ユーザが操作しやすくかつ操作ミスの発生しにくい情報端末装置を実現できる。
【図面の簡単な説明】
【０００９】
【図１】情報端末装置の内部構成を示すブロック図（実施例１）。
【図２Ａ】入力エリア操作モードにおけるタッチパネルの基本構成を示す図。
【図２Ｂ】情報端末装置をユーザが操作中の状態を示す図。
【図３Ａ】入力エリアをタッチパネルの左下隅に配置した場合を示す図。
【図３Ｂ】入力エリアをタッチパネルの左右両側に配置した場合を示す図。
【図４】情報端末装置の使用姿勢に応じて入力エリアの配置を変化させる場合を示す図。
【図５】入力エリア設定に伴う表示画像の変更を示す図（実施例２）。
【図６】入力エリアの移動に伴う表示画像の変更を示す図。
【図７】入力エリアに表示エリアの画像を縮小して表示した例を示す図（実施例３）。
【図８】表示エリアに表示しない画像の縮小画像を入力エリアに表示する場合を示す図。
【発明を実施するための形態】
【００１０】
以下、本発明の実施形態を図面を用いて説明する。
【実施例１】
【００１１】
図１は、情報端末装置の内部構成を示すブロック図である。ここでは、スマートフォンの場合を例に説明する。情報端末装置１は、制御部１０１、メモリ１０２、ストレージ１０３、ＧＰＳ（Global Positioning System）受信部１０４、地磁気センサ１０５、加速度センサ１０６、ジャイロセンサ１０７、マイク１０８、音声処理部１０９、スピーカ１１０、撮像部１１１、画像処理部１１２、タッチパネル１１３、エリア制御部１１６、操作ボタン１１７、入出力Ｉ／Ｆ１１８、基地局通信部１１９、無線通信部１２０を適宜用いて構成され、各構成部はバス１５０を介して相互に接続されている。【００１２】
制御部１０１はＣＰＵ（Central Processing Unit）等で構成され、メモリ１０２に記憶したプログラムを実行することによって、各構成部を制御し、各種の処理を実行する。
メモリ１０２はフラッシュメモリなどであり、制御部１０１が使用するプログラムやデータを記憶する。さらに情報端末装置１はメモリカードなどのストレージ１０３を備え、音楽、ビデオ、写真のデータなどを保存することができる。【００１３】
ＧＰＳ受信部１０４は、上空にあるＧＰＳ衛星からの信号を受信する。これにより、情報端末装置１の現在位置を検出する。地磁気センサ１０５は、情報端末装置１の向いている方向を検出する。加速度センサ１０６は、情報端末装置１の加速度を検出し、ジャイロセンサ１０７は、情報端末装置１の角速度を検出する。これらのセンサにより、情報端末装置１の傾きや動きを詳細に検出することができる。【００１４】
マイク１０８は外部の音声を入力し、スピーカ１１０は外部に対して音声を出力する。音声処理部１０９は入出力される音声を処理する。
撮像部１１１はカメラなどであり、画像処理部１１２は、撮像部１１１から入力された画像を処理する。また画像処理部１１２は、タッチパネル１１３の表示部１１４に表示する画像を処理する。【００１５】
タッチパネル１１３は、表示部１１４と操作入力部１１５で構成される。表示部１１４は液晶ディスプレイ（ＬＣＤ）などの画像を表示するデバイスであり、表示部１１４の表示面には操作入力部１１５を有する。操作入力部１１５は、例えば静電容量式などのタッチパッド方式の入力手段であり、指などによる接触操作を操作入力として検出する。【００１６】
表示部１１４には、例えばアプリケーションのアイコンあるいはメニューを表示する。ユーザが所望のアイコンあるいはメニューを指先で１回押す動作（タップ動作）を行うとこれを操作入力部１１５が検出する。そして、タップした位置に表示されているアイコンに対応したアプリケーションを実行し、あるいはメニューに対応した処理を実行する。あるいは、ホーム画面が表示された状態でユーザが表示面（操作入力部１１５）を指先で押して左右の方向に滑らせる動作（スワイプ動作）を行うことにより、ホーム画面を切り替える処理を行う。【００１７】
エリア制御部１１６は、タッチパネル１１３に対し、ユーザが操作入力するための特定の入力エリアを割り当てる。すなわち、表示部１１４に対し画像とともに入力エリアを表示させる。また、操作入力部１１５が入力エリアで為されたユーザの操作を検出すると、対応する画像位置への操作に変換するよう制御する。【００１８】
操作ボタン１１７はプッシュボタンスイッチなどであり、操作ボタン１１７が押されたことを検出すると制御部１０１に伝えられ、その操作ボタン１１７に対応した動作を実行する。
入出力Ｉ／Ｆ１１８は、例えばＵＳＢ（Universal Serial Bus）などであり、外部機器とデータの送受信を行うインターフェースである。【００１９】
基地局通信部１１９は、Ｗ−ＣＤＭＡ（Wideband Code Division Multiple Access）やＬＴＥ（Long Term Evolution）などの基地局と遠距離の無線通信を行う通信インターフェースである。無線通信部１２０は、IEEE802.11a/b/nなどの無線ＬＡＮにより無線通信用アクセスポイントと無線通信を行う通信インターフェースである。【００２０】
本実施例においては、タッチパネル１１３に対してユーザが操作する場合、表示部１１４に表示されている画像（アイコン）に対し直接操作する代わりに、タッチパネル１１３内に設けた入力エリアに対して操作する新たな操作モード（入力エリア操作モード）を導入する。ユーザは入力エリア内のある位置を操作すると、これに対応する表示部１１４の画像（アイコン）への操作が実行されることに特徴がある。これを実現するためエリア制御部１１６は、タッチパネル１１３内に所定の入力エリアを表示させ、これに合わせて必要に応じ画像（アイコン）の表示（配置）を変更する。またエリア制御部１１６は、入力エリアで為されたユーザの操作を操作入力部１１５が検出すると、表示部１１４に表示されている対応する画像（アイコン）に対する操作とみなす変換動作を行う。入力エリア操作モードを設けることで、表示部１１４が大画面の場合でもユーザは小面積の入力エリアを片手で操作することができ、また表示部１１４には画像（アイコン）がそのまま表示されているので、ユーザが操作しやすくかつ操作ミスの発生しにくい情報端末装置を実現できる。
なお、タブレット型のパーソナルコンピュータ（タブレット端末）についても、図１に示すスマートフォンとほぼ同じ構成であり、説明を省略する。【００２１】
以下、本実施例の入力エリア操作モードの表示例と操作例について説明する。
図２Ａは、入力エリア操作モードにおけるタッチパネルの基本構成を示す図である。情報端末装置１のタッチパネル２は、表示エリア３と入力エリア４で構成する。タッチパネル２は図１の符号１１３、表示エリア３は図１の表示部１１４、入力エリア４は図１の操作入力部１１５に対応する。従来は、表示エリア３と入力エリア４はタッチパネル２上で同じ位置に重ねて設けられていたが、本実施例では、入力エリア４はユーザが操作入力する専用の領域として、タッチパネル２の一部の領域に表示エリア３とは別に設ける。入力エリア４は表示エリア３を数分の一のサイズに縮小した略相似形とし、例えばタッチパネル２の右下隅に配置する。ユーザはこの入力エリア４を操作するだけで、表示エリア３全体に対する操作が可能となる。【００２２】
本実施例では、表示エリア３と入力エリア４のタッチパネル２上の位置が異なるため、表示エリア３の各位置と入力エリア４内の各位置とを対応させている。すなわち、表示エリア３の座標Ｐ（ｘ、ｙ）と入力エリア４内の座標Ｐ’（ｘ’、ｙ’）は、それぞれのエリアの左上隅位置Ｐｏ、Ｐｏ’を座標原点としたとき、
ｘ’＝（１／ｋ）ｘ、ｙ’＝（１／ｋ）ｙ
で示される比例関係とする。ｋは１より大きい係数で、表示エリア３と入力エリア４のサイズの比率に等しい。このような座標変換は、図１のエリア制御部１１６で行う。これにより、ユーザが入力エリア４内の位置Ｐ’を操作すると、表示エリア３の対応する位置Ｐへの操作として変換される。【００２３】
入力エリア４にはその領域を示すために、輪郭線や色分け（半透明含む）表示して区別するのがよい。操作モード切替ボタン５は図１における操作ボタン１１７の１つであり、入力エリア操作モードのＯＮ／ＯＦＦ、すなわち、従来の表示エリア３全体で操作するモード（通常操作モード）と、専用の入力エリア４から操作するモード（入力エリア操作モード）との切り替えを行う。なお、操作モード切替ボタン５は表示エリア３にアイコンとして表示してもよい。【００２４】
入力エリア操作モードに設定されている場合は通常操作モードを無効とし、入力エリア４以外の表示エリア３内の位置Ｐを操作しても反応しないようにする。ただし特殊な場合として、入力エリア４と表示エリア３の両方で操作可能な二重操作モードを設けて、切替ボタン５で選択できるようにしてもよい。【００２５】
図２Ｂは、情報端末装置をユーザが操作中の状態を示す図である。この場合、ユーザは入力エリア操作モードを選択し、右手で情報端末装置１を保持している。表示エリア３のＰ位置に対する操作（例えばタップ）を行いたいとき、右手の親指１０で入力エリア４の対応するＰ’位置に対して操作（タップ）を行えば良い。よって、右手だけで情報端末装置１を保持しながら操作ができ、操作性が向上する。特に大画面のタッチパネル２を有するタブレット端末等の場合には、従来は片手での保持と操作は困難であったが、本実施例によれば手を持ち替えすることなく操作でき、使い勝手が大幅に向上する。また、表示エリア３には画像（アイコン）が通常サイズでそのまま表示されているので、ユーザが画像を識別する上で何ら支障になることはない。【００２６】
入力エリア操作モードでは、入力エリア４内での親指１０の操作位置ずれ（Δｘ’、Δｙ’）があると、表示エリア３に対する操作位置ずれ（Δｘ、Δｙ）はｋ倍に拡大する。よって、表示エリア３の微細な表示画像に対して操作するときは、操作位置ずれによる操作ミスが生じる恐れがある。この対策としてホバリング機能を利用するとよい。すなわち、ユーザの指（操作物）１０が入力エリア４内のタッチパネル面に所定の距離以内に接近すると、操作入力部１１５はこれを検出し、指１０の接近位置に対応する表示エリア３内の位置に被操作位置を示すカーソル９（破線矢印で示す）を表示する。ユーザはこのカーソル９の位置を見ながら指１０の位置を移動させることで、目標の画像（アイコン）からの位置ずれがなくなり操作ミスをなくすことができる。【００２７】
入力エリアはユーザの使用状態に応じて、所望の位置に配置することができる。図３Ａと３Ｂは、入力エリアの配置を切り替えた例を示す。
図３Ａは、入力エリアをタッチパネルの左下隅に配置した場合を示す図である。入力エリア４を左側に配置することで、ユーザが左手で操作する場合に有効となる。この場合も表示エリア３の位置Ｐと入力エリア４の操作位置Ｐ’が対応している。【００２８】
図３Ｂは、入力エリアをタッチパネルの左右両側に配置した場合を示す図である。入力エリア４ａ，４ｂを左右両側に配置することで、ユーザは左手と右手のいずれでも操作することができる。この場合、いずれの入力エリア４ａ，４ｂを使用しても、表示エリア３全体に対して同様に操作できる。すなわち、表示エリア３の位置Ｐは、２つの入力エリア４ａ，４ｂの２つの操作位置Ｐ’，Ｐ”に対応している。さらに入力エリアの数は、３個以上とすることもできる。【００２９】
なお、２つの入力エリアを有する場合には、それぞれが表示エリア３に表示するカーソルマークを異ならせるのがよい。また、２つの入力エリアで別の操作機能を与えることもできる。例えば、左側の入力エリア４ａでカーソル表示を行い、右側の入力エリア４ｂでクリック動作を行わせるようにすれば、複雑な操作を簡単に実行させることができる。
以上のような入力エリア４の配置及び数の切替は、使用状態に応じてユーザが操作モード切替ボタン５により選択できるものとする。【００３０】
図４は、情報端末装置の使用姿勢に応じて入力エリアの配置を変化させる場合を示す図である。この図では、情報端末装置１を横置き状態（横長表示）で使用している。装置の姿勢（傾斜状態）は図１の加速度センサ１０６により検出し、画像処理部１１２は表示エリア３に表示する画像８を正立する方向に回転させている。これに合わせてエリア制御部１１６は、入力エリア４をタッチパネル２に対して所定の位置（例えば右下隅）に自動配置する。さらには、入力エリア４を重力方向の最下位置（右下隅または左下隅）に配置させてもよい。これにより、入力エリア４をユーザにとって操作しやすい位置に自動的に配置することができる。なお、装置の姿勢が水平状態の場合には傾斜状態に応じた自動配置が不安定になる恐れがあるので、表示画像８の表示方向に対して予め決めた方向に配置するようデフォルト設定しておけば、動作が安定化する。この場合も表示エリア３の位置Ｐと入力エリア４の操作位置Ｐ’が対応していることは同様である。【００３１】
いずれの場合も、表示エリア３の位置Ｐと入力エリア４の操作位置Ｐ’の座標変換は、エリア制御部１１６によって行われる。またエリア制御部１１６は、入力エリアの配置に関して前回使用時の配置を記憶しておき、次に入力エリア操作モードで使用するときは前回の配置（例えば右下隅）を再現させるようにしてもよい。【００３２】
上記の説明では、入力エリア４のサイズは所定のサイズに固定したが、ユーザの手（指）の大きさやタッチパネル２のサイズ等に合わせてユーザが設定できるようにしてもよい。また、入力エリア４の縦横比は表示エリア２の縦横比と略等しくしたが（すなわち略相似形）、異なる比としてもよい。その場合は、エリア制御部１１６の行う座標変換において、縦方向と横方向の変換係数ｋを異ならせればよい。【００３３】
実施例１によれば、表示エリア３が大画面の場合でもユーザは小面積の入力エリア４を片手で操作することができ、また表示エリア３には画像（アイコン）がそのまま表示されているので、ユーザが操作しやすくかつ操作ミスの発生しにくい情報端末装置を実現できる。
【実施例２】
【００３４】
実施例２では、入力エリアの設定に伴い表示画像を変更するようにした。
図５は、入力エリア設定に伴う表示画像の変更を示す図である。（ａ）は通常表示（通常操作モード）の場合で、表示エリア３にはホーム画面で用いられる複数のアイコン６が表示されている。符号４’は、入力エリアが配置される予定の領域である。この入力エリア予定領域４’には、アイコンの一部６ａ（ここでは記号「Ｈ」で示すアイコン）が重なっている。このような場合、画像処理部１１２は、重なったアイコン６ａ（以下、背景アイコンと呼ぶ）については次のように表示を変更する。【００３５】
（ｂ）は背景アイコンを移動させて表示する場合である。入力エリア４に重なる背景アイコン６ａを入力エリア４に重ならない位置に移動させて表示する。この例では、アイコン「Ｈ」をアイコン「Ｇ」の下側に移動させて表示する。このようにすれば、背景アイコン６ａについても支障なく操作することができる。【００３６】
（ｃ）は背景アイコンを非表示にする場合である。表示エリア３に空きスペースがない場合は、入力エリア４に重なる背景アイコン６ａを非表示とする。非表示とした背景アイコンについては、例えば次のページに移動して表示させることもできる。【００３７】
図６は、入力エリアの移動に伴う表示画像の変更を示す図である。（ａ）はタッチパネル２の右側位置に入力エリア４ａを設定した場合である。表示画像であるアイコン６は、入力エリア４ａを避けて表示されている。特にアイコン６ｂは、入力エリア４ａの左側に表示されている。この状態で（ｂ）のように入力エリアを左側４ｂに移動させたとする。この場合、アイコン６ｂは入力エリア４ｂと重なるので、入力エリア４ｂの右側位置６ｂ’に移動させる。【００３８】
この例では、表示画像がアイコンの場合について示したが、連続した画像の場合には、入力エリアに重ならないように画像全体を縮小して表示させてもよい。上記した表示画像の変更は、エリア制御部１１６の指示を受けて画像処理部１１２が実行する。実施例２によれば、入力エリアの設定に連動して表示画像を変更するので、入力エリアに重なった画像（アイコン）に対して操作不能になることはない。
【実施例３】
【００３９】
実施例３では、入力エリアに表示エリアの画像を縮小して表示させるようにした。
図７は、入力エリアに表示エリアの画像を縮小して表示した例を示す図である。入力エリア４には、表示エリア３に表示されているアイコン６の画像を縮小し、縮小アイコン７を表示している。入力エリア４内の縮小アイコン７の配置は表示エリア３内のアイコン６の配置と同様である。すなわち、縮小アイコン７の座標とアイコン６の座標は対応関係にある。縮小アイコン７の表示は、エリア制御部１１６の指示を受けて画像処理部１１２が実行する。【００４０】
このように入力エリア４においても表示エリア３の画像を縮小表示することで、ユーザは、入力エリア４内の縮小画像を見ながら操作できる。よって、表示エリア３の操作対象画像との位置ずれが少なくなり、操作エラーを防止できる。【００４１】
ここでは、表示エリア３に表示される複数のアイコン６（「Ａ」〜「Ｆ」）は入力エリア４に重ならない場合を示しているが、重なった場合には入力エリア４に表示する縮小画像について次のいずれかの処理を行う。
（１）図５（ｂ）のように背景アイコンを表示エリア３で移動させて表示する場合は、入力エリア４でも同様に背景アイコンの縮小画像を移動させて表示する。
（２）図５（ｃ）のように背景アイコンを表示エリア３に表示しない場合は、入力エリア４でも背景アイコンの縮小画像を表示しない。
（３）図５（ｃ）のように背景アイコンを表示エリア３に表示しない場合でも、入力エリア４の対応する位置に表示スペースが存在するので、背景アイコンの縮小画像を表示する。【００４２】
図８は、（３）の処理、すなわち表示エリア３に表示しない画像の縮小画像を入力エリア４に表示する場合を示す図である。表示エリア３には背景アイコンである「Ｈ」「Ｉ」が表示されていないが、入力エリア４にはそれらの縮小アイコン７ａを表示する。これによれば、表示エリア３に表示されない画像（アイコン）に対しては、入力エリア４に表示される縮小画像を見ながら操作することができるので、表示画像が入力エリア４と重なることは障害にならない。【００４３】
実施例３によれば、ユーザは、表示エリア３の画像だけでなく入力エリア４の縮小画像を見ながら操作できるので、操作対象画像との位置ずれが少なく、操作エラーを防止できる効果がある。【００４４】
上記した各実施例は本発明を分かりやすく説明するために詳細に説明したものであり、必ずしも説明した全ての構成を備えるものに限定されるものではない。また、各実施例の構成の一部について、他の実施例の構成の追加・削除・置換をすることが可能である。例えば、実施例１における入力エリアの各種配置と、実施例３における縮小表示の組合せは任意の組合せが可能である。【００４５】
また、上記の各構成、機能、処理部、処理手段等は、それらの一部又は全部を、例えば集積回路で設計する等によりハードウェアで実現しても良い。また、上記の各構成、機能等は、プロセッサがそれぞれの機能を実現するプログラムを解釈し、実行することによりソフトウェアで実現しても良い。【００４６】
また、制御線や情報線は説明上必要と考えられるものを示しており、製品上必ずしも全ての制御線や情報線を示しているとは限らない。実際には殆ど全ての構成が相互に接続されていると考えても良い。
【符号の説明】
【００４７】
１…情報端末装置、２…タッチパネル、３…表示エリア、４…入力エリア、５…操作モード切替ボタン、６…アイコン、７…縮小アイコン、９…カーソル、１０１…制御部、１０６…加速度センサ、１１２…画像処理部、１１３…タッチパネル、１１４…表示部、１１５…操作入力部、１１６…エリア制御部、１１７…操作ボタン。
【図１】
2017022031.tif 000003
【図２Ａ】
2017022031.tif 000004
【図２Ｂ】
2017022031.tif 000005
【図３Ａ】
2017022031.tif 000006
【図３Ｂ】
2017022031.tif 000007
【図４】
2017022031.tif 000008
【図５】
2017022031.tif 000009
【図６】
2017022031.tif 000010
【図７】
2017022031.tif 000011
【図８】
2017022031.tif 000012
【手続補正書】
【提出日】平成29年10月19日(2017.10.19)
【手続補正１】
【補正対象書類名】明細書
【補正対象項目名】００３２
【補正方法】変更
【補正の内容】
【００３２】
上記の説明では、入力エリア４のサイズは所定のサイズに固定したが、ユーザの手（指）の大きさやタッチパネル２のサイズ等に合わせてユーザが設定できるようにしてもよい。また、入力エリア４の縦横比は表示エリア３の縦横比と略等しくしたが（すなわち略相似形）、異なる比としてもよい。その場合は、エリア制御部１１６の行う座標変換において、縦方向と横方向の変換係数ｋを異ならせればよい。
【国際調査報告】
2017022031.tif 000013
2017022031.tif 000014
2017022031.tif 000015
2017022031.tif 000016